(57)【要約】【課題】充電機能部品を外側筐体から独立化することにより機種の整理を図ることができるとともに、外側筐体の形状設計の自由度を高めることができる充電用ユニットを提供する。【解決手段】充電機器を配置した取付板１と、その正面及び側面を覆うカバー２とによって立体形状の箱体を形成する。この箱体の一面に充電ケーブルの引出接続部を設け、またこの箱体の他の面に電源引き込み部１６を設け、さらにカバーには、操作表示部２０を設け、外側筐体の内部に取付けて用いられる充電用ユニットである。【選択図】図６
2014207782.tif 000002
【特許請求の範囲】
【請求項１】
充電機器を配置した取付板と、
その正面及び側面を覆うカバーとによって立体形状の箱体を形成し、
この箱体の一面に充電ケーブルの引出接続部を設け、
さらにカバーには、充電の操作表示部を設け、
外側筐体の内部に取付けて用いられることを特徴とする充電用ユニット。
【請求項２】
充電ケーブルの引出接続部を設けた箱体の一面においては、カバーを開放した構造としたことを特徴とする請求項１記載の充電用ユニット。
【請求項３】
カバーの周縁を、取付板の取付け面よりも奥行方向に張り出したことを特徴とする請求項１または２に記載の充電用ユニット。
【発明の詳細な説明】
【技術分野】
【０００１】
本発明は、電気自動車用の充電装置等に用いられる充電用ユニットに関するものである。
【背景技術】
【０００２】
電気自動車等に充電するための充電装置は、特許文献１に示すように、専用の外側筐体の内部の構造に合わせて専用の充電機器を組み込んだものである。外側筐体の形状やサイズは充電装置の用途に応じて様々であり、内部機器の種類や配置も外側筐体ごとに個別に設計されている。
【０００３】
このため、充電装置の機種が多岐にわたり製作コストが嵩むという問題がある。
【先行技術文献】
【特許文献】
【０００４】
【特許文献１】特開２０１２−１９１７４０号公報
【発明の概要】
【発明が解決しようとする課題】
【０００５】
従って本発明の目的は上記した従来の問題点を解決し、充電機能部品を外側筐体から独立化することにより機種の整理を図ることができるとともに、外側筐体の形状設計の自由度を高めることができる充電用ユニットを提供することである。
【課題を解決するための手段】
【０００６】
上記の課題を解決するためになされた本発明の充電用ユニットは、充電機器を配置した取付板と、その正面及び側面を覆うカバーとによって立体形状の箱体を形成し、この箱体の一面に充電ケーブルの引出接続部を設け、さらにカバーには、充電の操作表示部を設け、外側筐体の内部に取付けて用いられることを特徴とするものである。
【０００７】
なお請求項２に記載したように、充電ケーブルの引出接続部を設けた箱体の一面においては、カバーを開放した構造とすることが好ましく、また請求項３に記載したように、カバーの周縁を、取付板の取付け面よりも奥行方向に張り出した構造とすることが好ましい。
【発明の効果】
【０００８】
本発明の充電用ユニットは、充電機器を配置した取付板と、その正面及び側面を覆うカバーとによって立体形状の箱体を形成し、この箱体の一面に充電ケーブルの引出接続部を設け、さらにカバーには、充電の操作表示部を設け、外側筐体の内部に取付けて用いられるものであるから、このユニット単独で充電機能を確保することができる。従って外側筐体の形状設計は自由に行なうことができ、外側筐体の形状やサイズを設置場所に応じて自由に決定することができる。また、充電機能部品をユニット化したことにより機種の種類を整理することができ、製作コストを低減することができる。
【０００９】
請求項２のように、充電ケーブルの引出接続部を設けた箱体の一面においては、カバーを開放した構造としておけば、充電ケーブルの引き出しや接続を充電機器を配置した取付板から直接行なうことができる。さらに請求項３のように、カバーの周縁を、取付板の取付け面よりも奥行方向に張り出した構造とすれば、外側筐体との間で背面側の防水性を確保し易くなる。
【図面の簡単な説明】
【００１０】
【図１】第１の実施形態を示す外観斜視図である。
【図２】第１の実施形態を示す背面側から見た外観斜視図である。
【図３】取付板の斜視図である。
【図４】取付板に充電機器を取付けた状態の斜視図である。
【図５】取付板にカバーを取り付けた状態の断面図である。
【図６】充電用ユニットを外側筐体に取付けた状態の断面図である。
【図７】充電用ユニットを外側筐体に取付けた状態の斜視図である。
【図８】充電ケーブルを収納した状態の斜視図である。
【図９】第２の実施形態の取付板の斜視図である。
【図１０】取付板に充電機器を取付けた状態の斜視図である。
【図１１】カバーの斜視図である。
【図１２】第２の実施形態を示す外観斜視図である。
【図１３】第２の実施形態を示す外観斜視図である。
【発明を実施するための形態】
【００１１】
以下に本発明の実施形態を説明する。
図１と図２は第１の実施形態の充電用ユニットを示す外観斜視図である。この実施形態は、車載ケーブルを接続して充電を行うタイプのものであり、１は取付板、２は取付板１の上面、正面及び側面を覆うカバーである。これらの取付板１とカバー２とによって立体形状の箱体を形成している。
【００１２】
取付板１は図３に示すように、垂直な取付板本体３と、その上端を水平に折り曲げた上面板４とを備えている。取付板本体３の左右端部は裏面側に折り曲げられて剛性を高めている。また取付板本体３には、多数の機器取付孔が形成されている。上面板４の先端は下向きに折り曲げられて上部支持部５を形成し、固定孔６を設けてある。なお上部支持部５の両側の上面板４の端面は、カバー当て部７となっている。
【００１３】
取付板本体３の下端には、立体形状の底面を形成するコンセント取付部８が設けられている。このコンセント取付部８は取付板本体３と一体に折り曲げ形成したものであっても、別部材を取付けたものであってもよい。コンセント取付部８には開口９が形成されており、充電ケーブルの引出接続部となっている。図１に示すように、この開口９からコンセント１０の接続面を露出させている。開口９は１００Ｖ用と２００Ｖ用の２個のコンセント１０が取付けできるように、２個とすることが好ましい。コンセント取付部８の先端は上向きに折り曲げられ、保持部１１を形成し、その中央部には固定孔１２が設けられている。
【００１４】
図４に示すように、取付板１の取付板本体３には、リレーからなる充電制御部１３、端子台１４、ヒューズ１５等の充電機器が配置されている。また取付板１のコンセント取付部８には、１００Ｖ用と２００Ｖ用の２個のコンセント１０が取付けられている。また取付板１の側面には、電源引き込み部１６が設けられている。これらの機器は図示を略した配線によって相互に接続される。なお、リレーはカバーに設けた切替器で選択された何れか一方のコンセント１０に電源を供給する。
【００１５】
カバー２は、上記した取付板１の上面、正面及び側面を覆うことができる形状に板材を成形したものである。図１に示すように、充電ケーブルの引出接続部を設けた箱体の底面においてはカバー２は開放され、コンセント取付部８を露出させている。カバー２の前面下部には段部１７が形成されている。カバー２は取付板１の上部支持部５と保持部１１にねじ１００で固定されるもので、このときカバー２の上部は前記したカバー当て部７に当接し、ぐらつきを防止している。
【００１６】
図５に示すように、カバー２は傾斜した天面１８を有する。この天面１８は手前側が下がるように傾斜させてあり、作業時などに雨水が入っても取付板１上に浸入することを防止している。図２に示すように、カバー２の天面１８及び左右側板１９は、取付板１の取付け面を構成する取付板本体３より所定寸法だけ奥行方向に張り出されている。
【００１７】
カバー２の正面には、電圧の切替操作を行う操作表示部２０が設けられている。本実施形態では操作表示部２０は電圧の切替スイッチであり、その手前側端面の位置は段部１７の下側面と略同一平面とされている。このほか、操作表示部２０には充電状態を表示するＬＥＤや液晶パネル等を設けることもできる。
【００１８】
このように構成された充電用ユニットは単独で充電機能を備えたものであるが、この実施形態では図６〜図８に示すように、外側筐体２１の内部に取付けて用いられる。外側筐体２１は扉２２を備えた箱体であり、その内部上方に充電用ユニットが取り付けられている。上記したようにカバー２の天面１８及び左右側板１９は取付板本体３よりも奥行方向に張り出されており、外側筐体２１の背面板３１と密着するようになっている。この部分にパッキンを設けることも可能である。この構造により、雨天時に扉２２を開けて充電用ユニットを操作したときに、雨水が外側筐体２１内部に浸入したとしても、充電機器に影響することがない。
また取付板本体３の左右端部は裏面側に折り曲げられ、外側筐体２１と取付板１の取付け面との間に空間３０が形成され、充電ユニットは外側筐体２１の内部に別の箱体として収納されているため、外側筐体２１内部に生じた結露の充電機器への影響を低減させることができる。
【００１９】
外側筐体２１は意匠性、防水性を高める役割のほか、付加機能部品を備えている。付加機能部品としては、コネクタホルダ２３、ＣＣＩＤ収納部２４、ケーブル巻取り部２５、ケーブル挿通部２６などを挙げることができる。コネクタホルダ２３は図８のように充電コネクタ２７を保持させることができる部材である。ＣＣＩＤ収納部２４は充電ケーブル２８の途中に設けられたＣＣＩＤ２９を収納する部分である。ケーブル巻取り部２５は使用しない充電ケーブル２８を引掛けて置くフックであり、ケーブル挿通部２６は外側筐体２１の底面に形成された孔部である。なお、外側筐体２１の扉２２には操作表示部２０が視認できる窓を形成しておくことが好ましい。
【００２０】
このように第１の実施形態の充電用ユニットは外側筐体２１に取付けて使用されるものであるが、充電用ユニットは充電機能部品を備えているため、外側筐体２１は充電用ユニットを収納できるものであれば、その形状やサイズを自由に設計することができる。このため外側筐体の形状設計の自由度を高めることができる。また、充電用ユニットは外側筐体２１とは独立したユニットであるため、機種の整理を図ることができる。
【００２１】
次に図９〜図１３を参照しつつ、本発明の第２の実施形態を示す。この実施形態は充電ケーブルが充電用ユニットの引出接続部より引き出されているタイプのものである。
【００２２】
図９は第２の実施形態の取付板５０を示す斜視図であり、垂直な取付板本体５１と、その上端を水平に折り曲げた上面板５２とを備えている。取付板本体５１の左右端部を裏面側に折り曲げられて剛性を高めていること、多数の機器取付孔が形成されていることは第１の実施形態と同様である。上面板５２の先端には固定孔５４を備えた上部支持板５５が設けられている。また、取付板本体５１の下端は内側に折り曲げられ、充電ケーブルの引出接続部５６を形成している。この実施形態では４つのケーブル挿通部５７が形成されており、端部に形成した挿通部５７ａより充電ケーブルが引き出され、残りの３つの挿通部は、電源線及び通信ケーブルを挿通するために用いられる。
【００２３】
この取付板５０には、図１０に示すように充電制御部５８、リレー５９、通信機器６０、漏電保護装置６１、ノイズ除去フィルタ６２等の充電機器が搭載される。この実施形態において充電制御部５８は車両の充電開始や受電電流を制御するＣＰＬＴ回路を内蔵するものである。通信機器６０は充電操作の遠隔操作や、充電状態の外部表示のために外部機器との間で信号の入力・出力を行なうための機器であり、必要に応じて外部通信線が接続される。充電制御部５８の前面には、充電スタートボタン６３、エラー解除ボタン６４、ＬＥＤ等の表示部６５が設けられている。
【００２４】
上記した取付板５０は図１１に示すカバー６６と組み合わせ、立体形状の箱体を形成する。カバー６６は取付板５０の正面及び側面を覆うものであり、この実施形態では背面及び底面が開放された箱状体である。図１２に示すようにカバー６６の正面下部には作業用開口部６７が形成され、設置時にカバー６６を取外さなくても工事業者が端子台６８への配線作業を行なえるようになっている。作業終了後は、図１３のように作業用開口部６７は配線作業カバー６９によって封鎖される。
【００２５】
なおカバー６６には、充電を開始するため操作や充電状況を表示する充電の操作表示部７０が形成されており、充電スタートボタン６３、エラー解除ボタン６４、表示部６５等を露出させている。
【００２６】
上記した第２の実施形態の充電用ユニットは第１の実施形態と同様に外側筐体に収納して使用する。
【符号の説明】
【００２７】
１  第１の実施形態の取付板
２  カバー
３  取付板本体
４  上面板
５  上部支持部
６  固定孔
７  カバー当て部
８  コンセント取付部
９  開口
１０  コンセント
１１  保持部
１２  固定孔
１３  充電制御部
１４  端子台
１５  ヒューズ
１６  電源引き込み部
１７  段部
１８  天面
１９  左右側板
２０  操作表示部
２１  外側筐体
２２  扉
２３  コネクタホルダ
２４  ＣＣＩＤ収納部
２５  ケーブル巻取り部
２６  ケーブル挿通部
２７  充電コネクタ
２８  充電ケーブル
２９  ＣＣＩＤ
３０  空間
３１  背面板
５０  第２の実施形態の取付板
５１  取付板本体
５２  上面板
５４  固定孔
５５  上部支持板
５６  引出接続部
５７  ケーブル挿通部
５７ａ  挿通部
５８  充電制御部
５９  リレー
６０  通信機器
６１  漏電保護装置
６２  ノイズ除去フィルタ
６３  充電スタートボタン
６４  エラー解除ボタン
６５  表示部
６６  カバー
６７  作業用開口部
６８  端子台
６９  配線作業カバー
７０  操作表示部
【図１】
2014207782.tif 000003
【図２】
2014207782.tif 000004
【図３】
2014207782.tif 000005
【図４】
2014207782.tif 000006
【図５】
2014207782.tif 000007
【図６】
2014207782.tif 000008
【図７】
2014207782.tif 000009
【図８】
2014207782.tif 000010
【図９】
2014207782.tif 000011
【図１０】
2014207782.tif 000012
【図１１】
2014207782.tif 000013
【図１２】
2014207782.tif 000014
【図１３】
2014207782.tif 000015